(57)【要約】ゼロ在庫モデルに基づいて在庫供給業者、製造業者または両者に商業融資を提供する方法と装置である。該方法と装置とは在庫購入業者からの購入保証と在庫供給業者による引出し可能な預金の譲渡のいずれかまたは双方と結合された在庫所有権に基づいて保証を発生する。またこの発明は集積サプライチェーンプロセスとイベント通知インターフェイスとを包含するものであり、ゼロ在庫モデル融資を支持してこれらは融資の処理と引渡しの電子的プルーフとを行うことができる。
2005510789.tif 000002
【特許請求の範囲】
【請求項１】
少なくとも１人の商品供給業者からのサプライチェーン仲介業者を介しての少なくとも１人の製造業者への供給融資方法であって、該供給業者がある量の商品を在庫配置し、該仲介業者が少なくとも１人の供給業者からの在庫商品量の所有・管理権を取得し、該在庫中の商品量の購入を求める少なくとも１人の製造業者からの購入保証をサプライチェーン仲介業者が確保し、在庫商品量の所有権と購入保証とに基づいて、仲介業者が金融機関から資本供給を確保することを特徴とする融資方法。
【請求項２】
さらに購入保証の下に製造業者が漸増的に商品を購入し、仲介業者が漸増的な購入商品を製造業者にジャストインタイム方式に基づいて引渡し、在庫商品がジャストインタイム方式に基づいて引渡されたら製造業者が仲介業者に支払いをすることを特徴とする請求項１に記載の方法。
【請求項３】
仲介業者が金融機関から在庫商品について供給業者に支払いをすることを特徴とする請求項１に記載の方法。
【請求項４】
製造業者の契約が同意された期間内に在庫商品を購入するものであることを特徴とする請求項１に記載の方法。
【請求項５】
製造業者の契約が前記期間の終りには購入されずに残っている在庫のいかなる部分をも全量購入するものであることを特徴とする請求項４に記載の方法。
【請求項６】
複数の製造業者がおり、少なくとも２人が異なる産業に従事することを特徴とする請求項１に記載の方法。
【請求項７】
購入保証が在庫の担保価値を含んでおり、ジャストインタイム方式引渡しに基づいて製造業者が在庫の所有を漸増的に取得したときには在庫担保価値を低減することを特徴とする請求項２に記載の方法。
【請求項８】
資本供給を確保するに際して、購入保証と商品の所有権に基づいて、仲介業者が在庫の資産証券化を実施することを特徴とする請求項１に記載の方法。
【請求項９】
資本供給の確保に際して、購入保証と商品の所有権とに基づいて、流通・担保可能手形を作成することを特徴とする請求項１に記載の方法。
【請求項１０】
仲介業者が資本供給から在庫商品についての供給業者による支払いを提供し、サプライチェーンサービスと資本供給のコストについて支払いを割引することを特徴とする請求項１に記載の方法。
【請求項１１】
少なくとも１人の商品供給業者からのサプライチェーン仲介業者を介しての少なくとも１人の製造業者への供給融資方法であって、該供給業者がある量の商品を在庫配置し、商品量について支払いをするとの仲介業者による契約と交換に仲介業者が少なくとも１人の供給業者からの在庫商品量の所有・管理権を取得し、少なくとも１つの供給業者引出し可能預金を作成し、仲介業者が供給業者の引出し可能預金の譲渡を取得し、在庫商品量の所有権と供給業者引出し可能預金譲渡とに基づいて、仲介業者が金融機関から資本供給を確保することを特徴とする融資方法。
【請求項１２】
仲介業者が供給業者から追加の資産の譲渡を取得し、資本供給確保が該追加の資産の譲渡に基づいていることを特徴とする請求項１１に記載の方法。
【請求項１３】
仲介業者が在庫商品についての供給業者への支払いを資本供給から提供し、サプライチェーンサービスと資本供給のコストについて支払いを割引することを特徴とする請求項１１に記載の方法。
【請求項１４】
資本供給の確保に際して、譲渡された引出し可能な預金と商品の所有権とに基づいて、仲介業者が在庫の資産証券化を実施することを特徴とする請求項１１に記載の方法。
【請求項１５】
資本供給の確保に際して、購入保証と商品の所有権とに基づいて、流通・担保可能手形を作成することを特徴とする請求項１１に記載の方法。
【請求項１６】
製造業者が仲介業者から漸増的に商品を購入し、仲介業者が製造業者にジャストインタイム方式で漸増的に購入された商品を引渡し、在庫商品がジャストインタイム方式で引渡しされたときに製造業者が仲介業者に支払いを行うことを特徴とする請求項１１に記載の方法。
【請求項１７】
商品供給業者から少なくとも１人の製造業者への供給融資方法であって、供給業者がある量の商品を在庫配置し、金融機関が供給業者からの在庫商品量の所有・管理権を取得し、金融機関が供給業者の引出し可能な預金の少なくとも一部の譲渡を取得し、在庫商品量の所有および／または管理権および供給業者の引出し可能な預金の少なくとも一部の譲渡に基づいて、金融機関が流通可能手形を作成することを特徴とする融資方法。
【請求項１８】
金融機関が供給業者から追加の資産の譲渡を取得し、資本供給確保がさらに該追加の資産の譲渡に基づいていることを特徴とする請求項１７に記載の方法。
【請求項１９】
前記資本供給から在庫商品についての支払いを供給業者に提供し、該支払いが資本供給のコストについて割引されることを特徴とする請求項１７に記載の方法。
【請求項２０】
支払いがさらにサプライチェーンサービスについて割引されることを特徴とする請求項１９に記載の方法。
【請求項２１】
サプライチェーン仲介業者が少なくとも１人の在庫供給業者から在庫の所有権を取得して在庫購入業者から少なくとも１個の購入保証と在庫供給業者から引出し可能な預金の譲渡を確保し、所有権と少なくとも１個の購入保証と引出し可能な預金の譲渡との組合せに基づいて金融手形を発行することを特徴とする証券化方法。
【請求項２２】
サプライチェーン仲介業者が金融手形に基づいて資本供給を取得し、仲介業者が在庫について資本供給から在庫供給業者に支払いをすることを特徴とする請求項２１に記載の方法。
【請求項２３】
製造業者をして仲介業者からジャストインタイム方式で在庫を購入せしめ、各購入について在庫購入から支払いを取得し、該支払いに基づいて資金供給を頭金支払いすることを特徴とする請求項２２に記載の方法。
【請求項２４】
支払いが少なくとも（１）供給業者から仲介業者へ譲渡された在庫の正価の計算、（２）供給業者から仲介業者に譲渡された引出し可能な預金の正価の計算、（３）供給業者から仲介業者に譲渡された２個の資産の結合値の引出し、および（４）結合値に基づいて供給業者に請求可能な資金供給コストの添加に基づいた量で支払いを行うことを特徴とする請求項２２に記載の方法。
【請求項２５】
資金供給コストが（１）情報技術の純コスト、（２）倉庫保管、輸送計画および輸送の純コストおよび（３）リスク、保険、在庫保険および引出し可能預金の管理の純コストの少なくともひとつを含んでいることを特徴とする請求項２４に記載の方法。
【請求項２６】
単一の資金供給手形が完全に流通可能であって、かつ手形に譲渡された在庫の正価、手形に譲渡された引出し可能な預金の正価、供給業者に提供されたサービスの故に仲介業者に支払い可能な純量を含んだ値を有していることを特徴とする請求項２１に記載の方法。
【請求項２７】
資金供給のゼロ在庫モデルを支持するサプライチェーンシステムであって、サプライチェーン管理システム制御器と、制御器に接続されたデータアクセス記憶手段と、制御器に取り付けられかつアドレス可能な放送メッセージを送受信すべく動作する通信手段と、通信手段を介して制御器に接続されかつ少なくとも１個のアドレス可能な放送メッセージを受信しかつ制御器にメッセージを送信する
複数の遠隔通信ユニットを有してなり、通信ユニットが少なくとも金融機関ユニットと在庫ユニットとを有しており、在庫ユニットが仲介業者倉庫場所、輸送場所または顧客場所の少なくともひとつに配置されているかまたは配置可能であることを特徴とするサプライチェーンシステム。
【請求項２８】
前記のシステムが各サプライチェーンプロセスの状態および／または詳細を提供され、該状態が状態の緊急度を確立・識別する能力を提供し、サプライチェーン管理システム制御器が特定または複数の遠隔通信ユニットに状態および緊急度に関するメッセージを送信できることを特徴とする請求項２７に記載のシステム。
【請求項２９】
前記のシステムが固有の識別データを用いて遠隔通信ユニットを制御器に登録でき、かつ遠隔通信ユニットが引渡しの電子プルーフに関連するメッセージをいかなる数の追加の登録遠隔通信ユニットへも送信できることを特徴とする請求項２７に記載のシステム。
【請求項３０】
在庫の引渡しについてのオーダーに関する引渡しプロセスの電子プルーフの実行について、制御器が在庫の引渡しに関する処理資格の確認についての要求を送信でき、遠隔通信ユニットがそのような要求を受信して受信と在庫受領に関する返答を送信でき、返答を受信したら制御器が複数の遠隔通信ユニットに引渡しの処理資格を通知できることを特徴とする請求項２７に記載のシステム。
【請求項３１】
制御器が遠隔通信ユニットをして他の関連サプライチェーンプロセスに関与せしめ、個々の引渡し処理資格および／または確認の放送をペンディングにする通知を受けさせることができることを特徴とする請求項３０に記載のシステム。
【請求項３２】
各遠隔通信ユニットがプロセッサーと選択可能な事項を表示するディスプレーとを有しており、該事項が引渡しオーダー識別器の選択手段と、選択された引渡しオーダー識別器に処理資格情報を組み合わせる手段とを有しており、処理資格情報が完成した引渡しオーダーと、完成しない引渡しオーダーと、遅延引渡しオーダーと、例外の故にペンディングになっている引渡しオーダーと、引渡し場所に受け手が不在故に不可能である引渡しオーダーとの少なくともひとつを有しており、識別器と処理資格情報が制御器に送信されて、引渡しの電子プルーフとして機能することを特徴とする請求項３０に記載のシステム。
【請求項３３】
制御器がさらに複数の登録遠隔通信ユニットからある範囲の電子放送メッセージを受信する手段と、選択された１個のメッセージに反応して複数の場所から倉庫、集荷または包装の少なくともひとつのための単一の中央の場所に在庫の流れを向けさせる電子指令を発生する手段とを有していることを特徴とする請求項２７に記載のシステム。
【請求項３４】
制御器がさらに複数の登録遠隔通信ユニットからある範囲の電子放送メッセージを受信する手段と、選択されたメッセージのひとつに反応して倉庫保管された、集荷されたまたは包装された商品の少なくともひとつを単一の中央の場所から複数の指定された場所に引渡しのために在庫の流れを指向させる電子指令を発生する手段とを有していることを特徴とする請求項２７に記載のシステム。
【請求項３５】
制御器がさらに複数の遠隔通信ユニットのいずれかからの放送メッセージのシステム発信・受信に基づいてある場所から他の場所への在庫の動きを指示する手段を有していることを特徴とする請求項２７に記載のシステム。
【請求項３６】
制御器がさらに在庫の倉庫保管、集荷および包装の少なくともひとつの目的で、ある場所から他の場所への在庫の動きを指示するための指令を発生する手段と、予決定された在庫タイプの倉庫保管、集荷および包装の少なくともひとつを促進することのできる場所についての記憶されたパラメータに基づいて前記の指令を調和・発生する手段とを有していることを特徴とする請求項２７に記載のシステム。
【請求項３７】
少なくとも仲介業者とひとつの在庫供給業者と在庫購入業者とを含んだサプライチェーン中の在庫の引渡しのオーダーについて引渡しプロセスの電子プルーフを実施する方法であって、（１）在庫供給業者場所からの倉庫保管、集荷および包装要請の少なくともひとつのための在庫の動きを指示し、（２）仲介業者場所から少なくともひとつの指定された購入業者場所への倉庫保管、集荷または包装の少なくともひとつである在庫の動きを指示し、（３）引渡し場所から少なくともひとつの他の場所への在庫の動きについての情報を送信することの少なくともひとつを含んでいることを特徴とする実施方法。
【請求項３８】
送信に際して在庫引渡しについての処理資格の確認についての要請を電子的に送信し、受信と在庫の受領について返答を電子的に送信し、返答の受信に続いて複数の場所に引渡しの処理資格を電子的に送信することを特徴とする請求項３７に記載の方法。
【請求項３９】
在庫の倉庫保管、集荷及び包装の少なくともひとつの促進のために、指示ステップの少なくともひとつが複数の遠隔通信ユニットのいずれかからの放送メッセージのシステム的送信・受信に基づいていることを特徴とする請求項３８に記載の方法。
【請求項４０】
さらに送信ステップに反応して在庫についての支払いを指示することを特徴とする請求項３７に記載の方法。
【発明の詳細な説明】
【技術分野】
【０００１】
この発明は統合サプライチェーンシステム中の在庫供給業者と製造業者またはその両方に商業資金供給を提供する方法と装置とに関するものであり、さらには資金供給処理および引渡しの電子プルーフを行うことのできるプロセスおよびイベント通知インターフェイスに関するものである。
【背景技術】
【０００２】
サプライチェーン管理（ＳＣＭ）の導入は在庫の流れを制御・調製するビジネス能力および供給業者から製造業者への在庫の流れを円滑にするビジネス能力に大変革をもたらした。ＳＣＭは製造業者に必要とされる在庫ストックレベルを最少に低減できるので、資金供給行動を最適化することが可能となる。そのような最適化の達成においては、過剰在庫レベルの緩和を妨害される代わりに、ビジネス活動のために貴重な資本が解放されるのである。種々の活動のＳＣＭへの統合とビジネスの物理的概念は最善に管理された在庫の流れを達成する鍵であり、同時にビジネスに在庫を保持する経済的な衝撃を最少にするものである。
【０００３】
しかしＳＣＭにおいて遭遇する鍵となる問題のひとつは、追加の値が追加されると否とに拘わらず、ある在庫供給業者から他の供給業者への所有権連続移転の多段階プロセスである。在庫は結局製造業者で終わるものの、そのような多段階所有権プロセスの故に、在庫の初期の値プラス追加値のトップ上のいずれかというと高い利掛けによって達成されるのである。
【０００４】
そのような増加コストにも拘わらず、製造業者は過剰な期間に亙って在庫を保持することを望まない。何故ならそうすると、使える自由な資本量を低減し、直接貯蔵と倉庫保管のコストを増加し、かつ一般に製造業者による在庫管理の最適化の能力を制約するからである。
【０００５】
現在ＳＣＭおよび輸送業界においては２通りのほとんどを占める融資モデルがあり、供給業者所有在庫（ＳＯＩ）と製造業者所有在庫（ＭＯＩ）とがそれであり、ＶＭＩ（購入業者管理在庫）など種々の変形も存在している。これら（ＶＭＩ、ＳＯＩ）は、実際の製造のための在庫を必要とするまで製造業者が在庫を保持しないでいることを確実にするべく作られた解決法である。
【０００６】
それらのモデルは製造業者側の問題は解決するが、在庫供給業者側における問題を作り出すのである。つまり供給業者が経理上そのような在庫を背負う義務を負うことになる。その結果、在庫供給業者は金融機関から営業資金供給を仰がなければならなくなる。しかし在庫供給業者はそのような資金供給において借入レートや借入量などについて好ましい契約条件を取得する上で顕著な制約に直面する。
【０００７】
一般に、商品の供給業者は理想的な環境において商品引渡し支払いまたは商品購入支払いに基づいての活動しようと努力する。しかし近代商業実務の有利さにも拘わらず、それらはＢ２Ｂ、Ｂ２Ｃシステムと技術とによって提供され、２通りの基本的な資金供給方法がまだ使われており、それは「引出し可能預金資金供給」と「在庫資金供給」である。
【０００８】
現在の「引出し可能預金資金供給」（ＡＲ資金供給）実務においては例えば、供給業者は＄１，０００，０００のコンピューターハードドライブをコンピューターシステムの製造業者に販売し、製造業者に６０日のクレジット期間を提供する。第三世界諸国のものを凌ぐクレジットレートを有する＄２０ビリオンの複合企業である製造業者は、供給業者に遡及借還請求をすることができる。すると金融機関が供給業者に請求する割引きを下回る売り値の即座支払いについての供給業者はその販売領収書または請求書を金融機関に提供する。割引きのレートは製造業者のクレジットレートにより左右される。６０日の終りにおいて、金融機関は総額支払い（＄１，０００，０００）を製造業者から受領する。上記の方法は商業ノートなどの金融手形を用いている。
【０００９】
これに代わる「在庫資金供給」方法は供給業者が金融機関に対してある値の商品の所有権または権利を活動現金の代わりに担保する。供給業者が非常に短い回転率期間（顧客への販売時点に対する在庫期間）を有する商品を販売している場合にはこれは好ましいものである。例えば、種々の顧客に対して７日以内に一般に販売される＄１，０００，０００相当の原油をオイル業者が有しているとする。オイル業者は多数の到着国の種々の顧客にオイルを輸送するのに資金を必要とする。実際には、現金のためにオイル業者はオイル在庫を金融機関に「抵当化」する。金融機関が供給業者に課する請求のレートと計画とは担保された在庫の品質により左右される。オイルは一般に短期間価格安定で長期間マーケットの日用品である。他方半導体チップは価格安定性も長期マーケット価値も有していない。したがってＤＲＡＭチップの価格が１０日の間に３０％下落するときには、金融機関は供給業者に対してＤＲＡＭチップについて＄１，０００，０００を６０日は放出しないだろう。
【００１０】
また顧客が所有していない（引出し可能な預金と交換に彼等に販売されたものであるから）在庫を銀行がローンの担保として受領することはは不可能ではないにしても極めて稀である。したがって＄１ミリオンの価値のある在庫（半分はすでに販売され、他の半分は（産業で一般的な）暫定的購入予測などの顧客と第三者との取決めにより販売に割り当てられている）について資金供給する必要のある場合には、在庫資金供給は制約される。銀行は最善でも＄５００，０００を融資するだけだろう。半分が販売に割り当てられているが顧客からは販売インボイスがない場合には、期間中に１人以上の製造業者に他の半分の在庫が販売されるだろうという暫定的予測を顧客が持っているだけなので、銀行は残りの＄５００，０００の在庫については資金供給しないだろう。要するに、在庫供給業者は顧客に販売された在庫を低コスト資金供給を取得するための担保としては利用できないのである。
【００１１】
顧客が単に引出し可能な預金を担保する場合と在庫資金供給がある場合とではさらなる相違がある。例えば銀行は顧客により担保された異なる担保資産に基づいて異なるレートを提供するだろう（在庫は８％ｐａでその値の５０％まで資金供給されるだろうが、引出し可能な預金では６％ｐａでその８０％までである）。
【００１２】
かくして在庫所有権および／または管理の使用を最適化して、最も好ましい資金供給契約条件を達成して、供給業者への支払いを早くして、製造業者へのジャストインタイム方式引渡しを達成する必要がある。この発明はそのような必要を満たすものであって、在庫供給業者に単一の低レート資金供給を提供するものである。
【００１３】
製造業者と在庫供給業者の資金供給要求は輸送チェーンにおけるある種の物理的なプロセスが現行の電子的ＳＣＭシステムから分離されている態様によりさらに増幅されるのである。特に全ＳＣＭプロセスにおいて難しい資金供給プロセスにおいてはそうである。そのひとつは在庫資金供給である。
【００１４】
現存するＳＣＭ電子システムはサプライチェーン管理に直接関連する作用とプロセスとに重点を置いて構築・操作されている。しかし「実際の」または在庫供給業者、製造業者または両方により一般に要求されている在庫資金供給などのような資金供給プロセスの直接の統合はないのである。現在「統合された」サプライチェーンシステムはサプライチェーンデータを統合し、請求、購入オーダーまたは出荷や取扱いに関連する電子的ドキュメントを発行することができるものである。そのような「統合されたシステム」から起きてくる問題はサプライチェーンへのあるプロセスの真の物理的統合（サプライチェーン仲介業者から在庫購入業者、一般的には製造業者への在庫の引渡しなどの）を欠いていることである。
【００１５】
在庫が物理的に引渡しされて保管、所有権および／または権利が在庫購入業者に渡されると、購入業者は一般にインボイス受領書にサインして、一般に「引渡しプルーフ」と見なされる。このインボイス受領書はサプライチェーンシステムを操作しているオペレーターに戻され、オペレーターはシステムデータベース中の関連情報が手動で更新される。かくして引渡しに関連する金融プロセス（例えば支払い）が始まる。これは明らかに全プロセスにコストを増すことになるし、一般に効率的ではない。加えて、物理的活動（在庫の引渡しや扱いなどのような）は電子的にサプライチェーン管理システムには接続されていないので、関連するイベントや活動の記憶や通信には不正確さと遅れとがあるだろう。
【００１６】
一般に、サプライチェーンプロセスは各プロセスおよび／またはイベントの状態についてのシステム情報を送信でき、かつ他の活動とＳＣＭプロセスを自動的に開始することができることが要求される。その目的は、サプライチェーン管理システム全体の効率を劇的に改善し、かつサプライチェーン仲介業者に完全なサービスを正確に最低限の時間で行う能力を与えることにある。
【発明の開示】
【発明が解決しようとする課題】
【００１７】
この発明はジャストインタイム方式能力を有したサプライチェーン中において商品の製造、販売、貯蔵および引渡しのために融資するゼロ在庫モデルに関するものである。またこの発明はそのようなゼロ在庫モデルを実行するためのサプライチェーンシステムに関するものであって、迅速で効率的なイベント通知と引渡しの電子的プルーフの提供とを含むものである。
【００１８】
従来の融資にあっては、在庫供給業者は融資者に販売受領書を担保することから現金を工面することができる。ゼロ在庫モデル（ＺＩＭTM）融資にあっては、サプライチェーン仲介業者が在庫の品目および／または管理を確保し、購入保証および／または譲渡された引出し可能な預金とともにそれらの資産を結合して融資を証券化する。
【課題を解決するための手段】
【００１９】
一実施例においては、サプライチェーン仲介業者が在庫を所有して在庫の後続購入業者から購入保証を確保する。他の実施例においては、サプライチェーン仲介業者が在庫を所有するが供給業者からの引出し可能な預金の譲渡を確保する。
【００２０】
いずれの実施例においても、仲介業者は２通りの異なる資産を所有して、その結合を使って流通・担保可能手形を作る。該手形は資産証券化と後続の融資に使用できるものである。この方法は仲介業者が非常に低コストの融資を取得するための非常に安全な保証を作るものである。短期間支払いサイクルを得るのに在庫供給業者は販売受領書や担保資産を仲介業者に提供する必要がない。
【００２１】
何故ならば、仲介業者が製造業者からの購入保証を確保する役目を負うからで、同時にそのような保証に結び付けられた在庫への所有権を保持するからである。これに代えて、仲介業者は供給業者からの引出し可能な預金の譲渡を組合せ、同時に引出し可能な預金に結び付けられた在庫の所有権と管理とを保持する。
【００２２】
そのような安全な保証を提供できる物理的及び金融的立場にある唯一の者はサプライチェーン仲介業者である。何故なら在庫は供給業者から製造業者に連続して物理的に引渡しされるからである。ある実施例ではゼロ在庫モデル（ＺＩＭTM）融資は仲介業者が製造業者からの購入保証または供給業者からの引出し可能預金の譲渡および供給業者からの在庫の所有権を確保し、これら２通りの手形を金融業者のための単一の保証に付して、供給業者、製造業者または両者に非常に低コストの融資を提供する方法である。これはサプライチェーンに含まれた二者の要求を満たすものである。第１に供給業者は低レートでの短期間支払いサイクルを取得し、第２に在庫購入業者（例えば製造業者）は在庫へのジャストインタイム方式アクセスの利益を受けることができるのである。
【００２３】
各金融プロセス（在庫についての支払いを利用可能にする）は仲介業者が金融サービス提供者などのいかなる第三者とも実行できる契約であってもよい。特に２通りの融資方法は仲介モデルを含まない。何故なら製造業者への在庫の提供前にサプライチェーン仲介業者が在庫の物理的な所有権および／または管理を取得するからである。
【００２４】
仲介業者による在庫の所有と管理により、在庫供給業者、製造業者または両者の要請により仲介業者が物理的在庫に対して追加の価値付加活動またはステップを行うことが可能となる。例えば、製造業者が供給業者から機器を購入する前に、製造業者はコンピューターディスプレー機器の供給業者に製造業者のステッカーラベルを使って機器にラベル付けを要求できる。
【００２５】
供給業者は通常機器のＯＥＭ（オリジナルな装置製造業者）であるので、通常の配置の下で、そのような機器のラベル付けは他の第三者が追加のステップ（プラス契約、引渡しおよび受領活動）を行うことを必要とすることがある。非常にしばしばそのような機器はラベル付けされてから貯蔵管理のためにサプライチェーン仲介業者に渡される。いずれにしても在庫（そのような機器の）は最終的には仲介業者に渡されるのであるから、仲介業者は供給業者に追加のラベル付けサービスを容易に提供できる。
【００２６】
また在庫供給業者は条件として要求された時間（クレジット期間）後製造業者に提供された装置についての支払いの発行に直面するだろう。もし同様なサービスを多くの供給業者に行うのであれば、サプライチェーン仲介業者は供給業者の集団グループの融資要求をひとつに纏めてより短い支払いサイクルを提供できる。同時に、仲介業者は供給業者への製造または集荷プロセスなどを含んだ追加価値付加サービスを実行することもできる。
【００２７】
供給業者へのこの２つを１つにするサービスの提供はサプライチェーンプロセス全体を劇的に改善できる。何故なら物理的な移動と所有権の移動が低減されるからである。例えば、供給業者からラベル付け会社に装置を出荷しついでサプライチェーン仲介業者に出荷する必要がないのである。仲介業者が製造業者、供給業者または両者について行う重要な役割はそのようなサプライチェーンに沿っての後続プロセスのために在庫を物理的に高めまたは準備するその能力である。
【００２８】
仲介業者が在庫の所有権および／または管理を取得することをサプライチェーンプロセスが実行するので、仲介業者はそれ自身の内部融資源を利用してこの「価値付加」サービスを行うのに必要な活動またはステップを実行する資金を高める能力を有することになる。供給業者、製造業者または両者への融資は好ましいプロセスとなり、供給業者、製造業者または両方への融資コストを低減できる。何故ならば、仲介業者が複数の供給業者からの在庫の集中的な貯蔵を利用でき、各供給業者による個々の融資努力によるより遥かに低い資金コストを確保できるからである。
【００２９】
仲介業者にも同様にサプライチェーン契約が望ましい。何故ならその在庫の所有権および／または管理により仲介業者は製造業者が供給業者から要求する追加の「価値付加」サービスを容易に行うことができるからである。
【００３０】
以上の融資方法は両者へ他の有用なサービスを提供するという製造業者および／または在庫供給業者の要求を利用するものである。
【００３１】
他の好ましい実施例においては、仲介業者が追加のステップを行うということを引き受けることができ、第１の実施例と同様に第三者が供給業者、製造業者または両者への融資を実行する。
【００３２】
またこの発明にあっては、特定のまたは一連のサプライチェーンプロセスまたはイベントに関連するメッセージ、データおよび／または情報を移動電話、移動コンピューターなどの複数の移動装置に電子的に放送することもできる。該システムにおいては、メッセージの電子的放送に先立っていくつかの条件またはパラメータが適合することを必要とする。例えば、システムは現在の在庫量をモニターでき、該在庫が予記憶の条件に適合したら、システムが起動されて予決定された装置にメッセージを放送する。
【００３３】
またこの発明にあっては、システムに設定された条件に応じて、異なるタイプの装置にメッセージを報せることができる。システムによって設定された条件が至急の（または時間に敏感）通知でないならば、この発明においては単純なＥメールを送信するのが望ましい。要即座処理条件にモニターしている在庫が該当するならば、この発明においては移動電話にメッセージを送信するのが望ましい。つまりこの発明は特有なシステムを提供するものであって、そこでは各サプライチェーンプロセスの条件がシステムにプログラムされ、該条件は各条件の緊急性を決定し、移動電話や移動コンピューター、パーソナルデジタルアシスタントなどの特定の装置にメッセージを放送する能力をシステムの使用者に与えることができるのである。
【００３４】
またこの発明においては仲介業者が製造業者が所有する移動装置（仲介業者のサプライチェーンシステムに予登録されている）を電子的に起動して、パスワッドまたはＰＩＮを入力し、処理を電子的に有効とし、手持ちの在庫の引渡しを承認し、同時に移動装置を介して製造業者から仲介業者の予決定銀行への支払い指示を命令することができる。仲介業者と製造業者との間の「引渡しのプルーフ（ｅＰＯＤ）」を有効にするこの電子的方法は、サプライチェーンプロセスとともに、融資プロセス（この場合は在庫購入業者から仲介業者への直接支払い指示）を統合する。プロセスが起きた時またはすでに終了したとき（製造業者への在庫の引渡し）に２種のプロセスが同時に実行されるので、処理における効率と速度との劇的な増加が達成される。加えて、この電子的なｅＰＯＤは仲介業者から製造業者への在庫所有権の移転を開始することもできる。仲介業者により操作されるサプライチェーン電子システムの種々の成分には移動装置または専用コンピューターユニットが付設される。
【実施例１】
【００３５】
以下添付の図面に示された実施例によりこの発明を説明する。なお該実施例はこの発明を限定するものではなく、当業者想到可能な範囲で種々の変更を加えることが可能である。
【００３６】
一般的なゼロ在庫（ＺＩＭTM）融資を実行するにはサプライチェーン仲介業者と在庫供給業者と製造業者と融資業者のうちの少なくとも三者が関与する。
【００３７】
一般に「サプライチェーン仲介業者」または「サービス提供者」はＺＩＭTM融資の裏にある技術の操作者であって、１以上の関係者を包含するものである。最少でも仲介業者は（１）ＺＩＭTM融資に含まれる実際の操作サービスを提供し、（２）ＺＩＭTM融資の契約的およびデータ処理概念を操作／実行する。望ましくはこれら２通りの機能は別個ではあるが関連している者により行われる。
【００３８】
「融資業者」は一般のＺＩＭTM処理のクレジット格付けおよび金融考慮を評価して、仲介業者のために融資を生み出すためにサプライチェーン仲介業者から提供される保証を利用する。
【００３９】
「在庫供給業者」はＺＩＭTMサービスの消費者であり、在庫を提供し、引出し可能な預金融資および在庫融資などのような従来の融資製品から利用できるものに比べて、より短い期間支払いサイクル、比較的低い処理コストおよびより低い利率への直接の要求を有している。
【００４０】
「製造業者」または他の「在庫購入業者」はＺＩＭTMサービス消費者であり、在庫を購入することを望むが、通常ジャストインタイム方式に基づいて供給業者からの遅延引渡しと在庫の所有権についての直接の要求を有している。
【００４１】
ＡＲ融資または在庫融資のいずれにしても融資業者により感知されているリスクに付加された基本的なコストがある。取引はリスクがあるほど料金は高くなり、または多くの場合融資業者が供給業者に融資をしようとは考えない。
【００４２】
しかしもし供給業者が販売インボイスと在庫（ハードドライブ）の担保とにより販売（例えば＄１，０００，０００の価値のハードドライブ）を融資できるならば、リスクレベルは顕著に低減され、融資コストも同様となる。このシナリオは製造業者にハードドライブを販売し、インボイスを販売して融資を得、製造業者に融資業者に対する在庫の担保を要求する供給業者に類似するものである。この例では、製造業者はコンピューターノートブックメーカーであって、ノートブックの製造・組立てに必要な種々の部品の供給業者を多数伴うものである。しかし製造業者がいかなる製品の製造業者でもあり得ることは理解されよう。
【００４３】
「在庫供給業者」と呼ばれるそのような部品の単一な供給業者について説明するが、製造業者は複数のそのような供給業者から部品を取得できることは理解されよう。サプライチェーン仲介業者をサプライチェーン管理者として使って供給業者はコンピューターハードドライブを製造業者に供給する。製造業者は実際の現在の製造必要度に適合する在庫（ハードドライブの）を現在は保持することを望むだけである。しかし供給業者は特定の卸売り量で在庫を販売するのみである。この結果、供給業者は製造業者が実際に在庫を購入するまで、通常在庫の全量を所有することになる。供給業者は融資の源を見出すことにより製造業者の要望に応えることになる。従来は供給業者は仲介業者に対して在庫を担保に担保するか（在庫融資）または製造業者からの在庫の販売受領書から融資を取得する（引出し可能な預金融資）。
【００４４】
在庫融資の場合には、仲介業者に担保された在庫は仲介業者によりある％値引きされるだろう。例えば融資期間６０日についてコンピューターハードドライブは１５％値引きされるだろう。供給業者は実際の在庫に＄１，０００，０００の価値を有しているので多分融資において＄８５０，０００を取得するだろう。これは在庫が老朽化する可能性があるからである。仲介業者は供給業者に対して年間約７％の利率を請求するだろう。
【００４５】
販売受領書を担保する融資方法においては（引出し可能な預金融資）、融資業者は供給業者の顧客（この場合はノートブックの製造業者）のクレジット価値を評価する。融資業者は種々のやり方で供給業者に融資する−通常は供給業者が要請した（＄１，０００，０００）プラス利率である要求額を。この場合の利率は製造業者の融資業者によるリスク査定に応じて種々変化する。供給業者がコンピューターハードドライブ（在庫）について非常にタイトな利益限界を有する場合には問題が出てくる。これは供給業者にとって融資コストが比較的高価なことになる。
【００４６】
在庫が製造業者に販売されたならば供給業者は在庫融資を取得できないので、供給業者は２通りの融資形態を結合することはできない。
【００４７】
販売された在庫が担保である、および製造業者（在庫購入業者）から購入保証が取得されるかまたは融資仲介業者に販売受領書が担保される場合には低コストの融資が得られる。前者は供給業者が製造業者にハードドライブを販売し、仲介業者に販売受領書を担保し、製造業者に販売された在庫を仲介業者に担保するように要請することに類似する。在庫供給業者はそのような融資技術を実行できないが、サプライチェーン仲介業者は容易にそうすることができる。
【００４８】
サプライチェーン仲介業者の場合には、実際に製造業者の製造施設に引渡しされる前に、在庫はある時間仲介業者の貯蔵施設内に止まる。仲介業者は在庫の所有権を取得するよい立場にある。また仲介業者は予め合意された期間内に在庫を購入するという保証を製造業者から確保するよい立場にある。またこれに代えて仲介業者は在庫供給業者から引出し可能な預金の譲渡を取得するよい立場にもある。
【００４９】
いずれの場合でも、仲介業者は在庫の所有、所有権および／または管理および少なくとも在庫を購入するという製造業者からの保証または供給業者からの引出し可能な預金の譲渡のひとつを有することができる。仲介業者はそれらの資産を纏めかつ融資のためのクレジットベースを保障するという特有の能力を有している。
【００５０】
そのような場合、仲介業者は供給業者ができるよりも低コストの融資を融資業者から取得できる。仲介業者は在庫供給業者に製造業者よりも非常に短い支払いサイクルを与えることができ、同時に供給業者が個々に融資仲介業者にアプローチした場合には、供給業者ができるよりも非常に低い利率を請求することができる。
【００５１】
この発明の一実施例におけるゼロ在庫方法融資の実行にあっては、図１Ａに示すように、仲介業者は（１）在庫の所有、所有権および／または管理を取得し、（２）仲介業者はゼロ在庫モデル（ＺＩＭ）融資を実行することについて製造業者と在庫供給業者の両者と契約を成立させる。
【００５２】
ステップＳ１に表わすように、以下の例示条件で仲介業者は在庫供給業者と契約を確保する。他の条件でもよい。
【００５３】
「仲介業者から仲介業者購入オーダーフォームを受けてから３日以内に供給業者は在庫を仲介業者に供給する」、「仲介業者から供給業者に送信された全ての仲介業者購入オーダーフォーム中に含まれたデータに応じて供給業者は固定単位価格で６０日以内に在庫を仲介業者に供給する」および「下記の内容で供給業者は仲介業者にインボイスを電子的に発行する」というのがその条件である。
【００５４】
＜供給業者処理番号＞＜インボイス番号＞＜処理日時＞＆＜購入オーダーコード＞％％％＜終着地製造業者ＩＤ番号＞％％％＃＜アイテムコード？アイテム量？＞＃％％％＜処理完了番号＞
【００５５】
供給業者は下記の支払い期間で支払いを受ける。仲介業者の貯蔵施設において在庫を受領した日から７日以内に特定の銀行口座への支払い。Ｘ％のレートで当初のインボイス価値から支払いを割引く。
【００５６】
ステップＳ２に示すように、仲介業者は下記の期間で製造業者と契約に入る。６０日の期間内に製造業者は仲介業者から在庫の全量（固定単価で）を無条件に購入する。６０日の期間内に、製造業者は複数の購入オーダーにおいて購入を実行する。下記の様式で購入オーダーが仲介業者に電子的に送信される。＜製造業者処理番号＞＜インボイス番号＞＜処理日時＞＆＜購入オーダーコード＞％％％＜製造業者ＩＤ番号＞％％％＃＜アイテムコード？アイテム量？＞＃％％％＜処理完了番号＞
【００５７】
図２Ａ、２Ｂにサプライチェーン２００の構成を模型的に示す。ここでは部品を製造または組立てする１以上の供給業者２１０（１人のみ示すが複数であってもよい）が製造業者２３０（１人のみ示すが複数であってもよい）への引渡しのためにその在庫を仲介業者２２０に提供する。図示の単純な線状フォームよりもサプライチェーン構成は遥かに複雑であり、１以上の製造業者２３０が１以上のサプライチェーンを介して１以上の販売者からの供給を求めることができ、種々の供給業者の出力は在庫に行って各サプライチェーンの仲介業者により保持される。
【００５８】
図１Ａの実施例と図２Ａに示す構成ではステップＳ１におけるように、１以上の製造業者２３０に商品を提供したい供給業者２１０は供給業者２１０に商品を提供することを要求するサプライチェーン仲介業者２２０と契約に入り、商品を受領・貯蔵し商品について支払いをし商品を製造業者に提供する（選択的に付加価値とともに）ことを仲介業者に求める。
【００５９】
この構成を支える処理においては、仲介業者２２０は処理２５１において仲介業者購入オーダーフォームを供給業者２１０に送信する。供給業者は処理２５２において仲介業者に商品を提供する。仲介業者が供給業者２４０からインボイスを受領した少し後に、仲介業者から供給業者２５０への支払いが処理２５３において実行され、仲介業者２００は貯蔵施設において在庫の物理的所有を受領する。在庫および所有権または管理の認め印を受領するやいなや、仲介業者は供給業者のインボイスに支払いをする融資を取得する立場になる。図２Ｂ、２Ｃにアウトラインを示す関係を使ってそのような融資は非常に好ましい期間で所得され得る。
【００６０】
図２Ｂおよび図１ＡのステップＳ２において、仲介業者２２０はまた製造業者２３０と契約に入ることがある。該契約は仲介業者が貯蔵から商品をジャストインタイム方式で処理２６１で発行された購入オーダーに記載された量で提供することを要求している。商品についての支払いは標準商業期間で処理２６２において行われる。しかし仲介業者が製造業者２３０からの購入保証２６３を要求することもある。
【００６１】
これに代えて図１Ｂ、２Ｃにおいては、ステップＳ１１に示すように、仲介業者２２０は供給業者２１０から処理２５４において引出し可能な預金の譲渡を取得する。該譲渡は仲介業者に引渡しされた商品の全部または一部についての引出し可能な預金に関連するおよび／または第三者への販売に起因する他の引出し可能な預金に関連する。この場合製造業者２３０への関係は直接に関連するものではなく、仲介業者はそれでもジャストインタイム方式引渡しについての製造業者の要求を満たすことができるのである。
【００６２】
他の変化態様では、引出し可能な預金の代りに供給業者の他の資産が使われ、これは供給業者および／または仲介業者の在庫の顧客／買い手からの在庫消費予測、一時的な購入オーダー、購入オーダーまたは購入についての一時的な契約を含むものである。
【００６３】
図１Ａ、２Ａまたは１Ｂ、２Ｂまたはそれらの組合せのいずれの構成で作動するにせよ、仲介業者は在庫の物理的所有および／または所有権の双方を有し、かつ第２の資産として製造業者の保証または供給業者からの引出し可能な預金の譲渡を含んでいる。この資産の組合せにより仲介業者は保証（図１ＡのステップＳ３および図１ＢのステップＳ１２）を発行することができ、これを非常に有利な期間（図１ＡのステップＳ４および図１Ｂのステップ１３）で融資を取得する基礎に使用できる。
【００６４】
関連する資産価値に基づいて供給業者に提供される融資量を計算するにはつぎのステップのいくつかまたは全てを取ることができる。（１）供給業者から仲介業者に譲渡される在庫の正価を計算する、（２）供給業者から仲介業者に譲渡された引出し可能な預金の正価を計算する、（３）供給業者から仲介業者に譲渡される２通りの資産の組合せ価値を引き出すおよび（４）組合せ価値に基づいて供給業者に請求できる融資コストを付加する。
【００６５】
仲介業者は融資コストに供給業者へのサービス提供に関連する補助コストと費用を含ませることができ、例えば（１）情報技術の純コスト、（２）貯蔵、輸送計画および輸送の純コストおよび（３）リスク、保険、在庫保険および引出し可能な預金管理の純コストなどがそれである。これらの純コストのいくつかまたは全てが融資コストに加算されてサービスの総コストが引き出される。サービスのコストは在庫の総価値の％で表わすことができ、仲介業者はそのサービスを在庫の総価値の％で提供するのが好都合である。
【００６６】
この結果、仲介業者は顧客から譲渡された資産を利用して単一の金融手形にまとめることができる。該手形は完全に流通可能でかつ下記の価値を有しているものである。手形に譲渡された在庫の正価、手形に譲渡された引出し可能な預金の正価、供給業者に提供されたサービスに起因する仲介業者に支払い可能な純量、供給業者から手形に支払い可能な純量を譲渡する仲介業者の譲渡契約。
【００６７】
ゼロ在庫モデル（ＺＩＭTM）が１対多数モデルに適用される場合には、上記の有利さはさらに大きなものとなり、特に異なる業種からの複数の製造業者がいる場合および／またはサプライチェーン仲介業者が多数の供給業者と取引きする場合にはそうである。例えば、５人の製造業者と１０００人の供給業者がいるとして製造業者当り均等に２００人の供給業者とすると、有利さは顕著なものとなる。さらに１０％の供給業者だけがゼロ在庫モデル融資に関心があるとすると、総価値＄１００ミリオンの在庫を販売し平均投資期間が１５日となる。供給業者はＡＲ融資のコストについて約７％のグループメジアンを有する。もし仲介業者により提供された集団購入保証が５つの異なる業種からの分散リスクポートフォリオを有しており、５つの異なる業種からの在庫担保を購入保証が伴い、各１５日毎にジャストインタイム方式で担保在庫が販売される場合には、融資業者は３．２５％について資金（＄１００ミリオン）を提供するだろう。
【００６８】
これは融資業者が保証の集荷貯蔵と提供された担保の資産証券化を実行した場合のみ可能である。資産証券化は多くの方法で取得できよう。例えば確保された資産の額面価格を証券化書面を販売者に対して割引きする、個々の割引レートで異なる証券化書面の購入者に権利を発行するなどである。資本のコストは銀行の預金レートに多分抑えられるから、融資業者は証券化を使用しなければならず、３．２５％についてサプライチェーン仲介業者に銀行ローンを提供することはできない。仲介業者は供給業者に４．１％の一率レートを請求し、供給業者は仲介業者により提供される他のものと競合するレートを得ることはできない。＄１００ミリオンの価値のゼロ在庫モデル融資手形について０．８５％の引伸ばしを行う。
【００６９】
５人の製造業者のグループメジアンクレジット期間が６０日と仮定すると、簡単な計算で、ＺＩＭTMプロセスは１年に６サイクル反復される。毎年＄５，１００，０００の循環歳入が稼がれる。集荷在庫価値が＄１００ミリオンで、５人の製造業者に亙る１０００人の供給業者の１０％からこの戻りが取得される。
【００７０】
明らかにゼロ在庫融資の場合には融資の流れを駆動する主たる関係者、一般にはサプライチェーン仲介業者がいる。駆動する関係者は（１ａ）他の会社から保証を確保し、（１ｂ）他の会社から引出し可能な預金の譲渡を確保し、（２）そのような保証または譲渡を融資業者からの他の保証（担保としての在庫）に結び付ける。ついで駆動する関係者はまとめられた手形を利用して資金を取得する。特に供給業者または仲介業者により低いコストで金を提供する。この構成を用いて、駆動する関係者は会社のまとめられたグループに資金を提供できるか、またはそのようなグループからまとめられた手形を確保して融資を行う。
【００７１】
購入保証および在庫の担保化を用いたゼロ在庫モデル（ＺＩＭTM）手形の証券化はつぎのような構造を有するものである。製造業者ＡＢＣからの購入保証および保証に担保化された在庫。
【００７２】
上記の構造では担保化された在庫は在庫所有者（この場合には最早サプライチェーン仲介業者ではない）の管理外に行くことはできない。仲介業者は保証を融資業者に販売して供給業者への在庫の支払いのための資金を取得する必要があるので、所有権は今や保証の購入者（例えば融資業者）とともにある。しかし製造業者は漸増的購入を行うから、担保化された在庫の価値は漸増的に担保価値および対応する関係者の負債を低減するメカニズムを持つことになる。購入保証も製造業者の負債の変更を反映するものでなければならない。
【００７３】
資産の管理が顕著に変わったときには、ＦＡＳＢ規則１２５第４章第（ａ）−（ｃ）項に特定されているように、負債の処理と資産義務とは適当な時に承認されかつ承認取り消しされるものであるからして、金融資産の移転とサービスおよび負債の消滅に関してはこの構成が現行のＦｉｎａｃｉａｌ  Ａｃｃｏｕｎｔｉｎｇ  Ｓｔａｎｄａｒｄｓ  Ｂｏａｒｄ法規、特にＦＡＳ規則１２５に沿ったものであることは特記すべきである。仲介業者とのＺＩＭTM初期購入保証での権利を使うことにより、製造業者はジャストインタイム方式で漸増購入を行うメリットを有しているから、製造業者への操作および経理上の衝撃は顕著なものである。在庫は今やジャストインタイム方式で購入できるから、製造業者は現金の流れを操作することの柔軟性から利益を得るのである。しかし改善された現金の流れは第三者（サプライチェーン仲介業者）への購入保証の発行に遭遇するから、金融上の衝撃は同じである。しかしＦＡＳ１２５法規に適合することは生きている負債（または支払い可能な預金）が存在することを意味する。
【００７４】
ゼロ在庫モデルに含まれている技術はいくつかの関係者、特にリスクを負いかつ仲介業者により発行された証券化に基づいて資金を進めることを要求される融資業者、の要求を考慮しなければならない。一般にＺＩＭTM構成の下で資金を取得して挙げるある種の契約に介入する前に、融資業者はいくつかの技術に基づいた保証を求めるであろう。まず融資業者は特定のコンピューターシステム、特にその管理下にないものまたは政府関係者の規則により管理されるもの、から来る電子メッセージが真に要求されるべきものであることに満足しなければならない。融資業者は一般に独立の第三者会計検査会社を雇ってそのようなシステムを実行する。今日該システムは少なくとも現在のコンピューターシステムの正規な安全性を有することを必要とする。これにより処理チャンネルが融資業者自身の内部システムと完全に噛み合う。以下は現在融資業者により採用されている手段である。
【００７５】
ＩＢＭＡＳ４００処理システム（１９８５年以降実施されている）。ＵＮＩＸ（登録商標）処理システム（ＩＢＭＯＳ／３９０メインフレームと共通）。データのＲＣ４安全実施および通信、ＰＫＩ、生物測定法、デジタル認証など。多段階アクセス制御管理。ネットワーク交通分析、ポート制御およびアクセス管理。リースライン、ＶＰＮなどを含んだ安全専用データおよび通信。
【００７６】
上記の形態においてはほとんど広範なバリエーションはないものの、その他にも個別および異なるシステムが使用されている形態や実施例がある（ＮＴ、Ｌｉｎｕｘ、ＵＮＩＸ（登録商標）−ＳＣＯなど）。
【００７７】
旧型のメインフレーム（まだ後部インフラストラクチャーの大部分を構成している）へのＡＳ４００などのようなより新しいシステムの技術的集積は処理プロセスなどを操作するインターフェイス間の電子通信の基本に依存するものである。
【００７８】
サプライチェーン仲介業者またはサービス提供者は実質上全ての産業分野をカバーしているので、商業融資のためのゼロ在庫モデル（ＺＩＭTM）は今日ほとんど全ての産業分野において供給業者への融資に革命的な変革を提供するものである。ある操作環境では、証券化された資産の価値の丁度２５基本点の小さな広がりが在庫の比較的小さな貯蔵品からの収入を循環するに際して数百万ドルをもたらす。ＺＩＭTMは、世界中の最大の会社、ブランドおよびサービスの製造出力のパワーを作る数百万の供給業者と一緒の現在の全融資サービスレベルを変革する、能力を有している。この目的のために、ゼロ在庫モデル融資の実施に際して、注意するべき重要な構成成分は次のとおりである。
【００７９】
ＦＡＳ１２５コンプライアンスおよび操作実施。ＦＡＳ１２５に起因するサプライチェーン仲介業者の融資行動。技術とデータプロセス／インターフェイス。技術会計監査と説明責任報告。ＦＡＳ１２５に関連するプロセスコストを最少にする効率的な処理システム。製造業者のための利益対考慮分析。
【００８０】
これら構成成分を考慮すると、当業者には理解されるであろう、適用できるＦＡＳガイドラインに沿っていながらゼロ在庫モデルを使っての供給業者のための低コスト融資を提供するのに適したサプライチェーンシステム、に行き着く。ゼロ在庫モデルを実施するサプライチェーンシステムは信頼できる保証イベント通知システムを必要とする。該システムは多数の物理的な製造および貯蔵管理コンピューターユニットおよびセンサーからの電子的データを受信するのに適しており、スイッチネットワークや有無線システムやインターネットなどを含む公衆および個人システムを介してシステムに接続または登録されたいかなる装置にもメッセージを安全に送信するのに適している。
【００８１】
図３Ａにおいて、サプライチェーンプロセスおよびイベント通知システムの核心はコンピューターサーバー１０を有しており、該サーバーは中央集中モニター、データ処理、全システムへの指令および管理機能を提供する。これに代えてサーバー１０は中央集中ではなくその分散機能の一部または全部を持つこともできる。サーバー１０はアナログ・デジタルまたはデジタル・アナログ変換インターフェイスユニット３０に接続されている。
【００８２】
該インターフェイスユニット３０は、サーバー１０による情報処理のために、電子的信号を受信して二進法データに変換する。サーバー１０の作業から結果されるデータはメモリー２０中のコンピューターデータベースに記憶され、かつ更新データまたは新データを含むこともできる。インターフェイスユニット３０、データ記憶部２０から受信される信号に適用できるソフトウェアプログラムおよびパラメータの形でサーバー１０はデータを回収する。
【００８３】
例えば、サーバー１０は通信インターフェイスユニット５０が電子的に監視する無線装置６０のリストをデータベース中に維持することができ、リストを定期的に更新することができる。このリスト化は各装置６０に特定して割り当てられた固有の連続番号、アドレスおよび／またはＩＤである。装置６０は装置６０の電子的監視のために無線通信ユニット４０を介してインターフェイスユニット５０がデータを送信する移動装置であってもよい。
【００８４】
また記憶部２０はシステムの登録ユーザーが予めプログラムした選択を記憶する。例えば、登録ユーザーは下記をプログラムすることができる。Ａ−サプライチェーンイベントまたはプロセス、Ｂ−緊急レベル１、Ｃ−緊急レベル２、Ｄ−緊急レベル３、Ｅ−レベル１についての装置名、Ｆ−レベル２についての装置名、Ｇ−レベル３についての装置名。
【００８５】
また記憶部２０はインターフェイスユニット３０、４０、５０が送信しかつプログラムされたイベントまたはプロセスに対応する信号インジケーター番号を含むことができる。記憶部２０はさらに基準データフィールドを有したデータベーステーブルも記憶する。これは各緊急レベルＢ、Ｃ、Ｄを各装置名Ｅ、Ｆ、Ｇにマッチさせるものである。
【００８６】
必ずしも必要ではないが、ゼロ在庫モデルにとって望ましい特徴としては電子的引渡しプルーフ（ｅＰＯＤ）プロセスがある。図３Ｂに示すサブシステムに関して、無線通信インターフェイスユニット１４０、通信インターフェイスユニット１３０への移動装置１５０からの電子的指示を受信して、サーバー１００をしてユーザー証明のために他の移動装置１７０への電子的要請を開始させることができる。
【００８７】
該証明はユーザー名とパスワードの組合せによるか、またはＰＩＮ個人識別番号によるか、または電子サインの組合せによる。証明ができたら、移動装置１７０はユーザーに情報、指示および指令を入力させる。これらは受領、承認、拒否および／または在庫の確認に関連するものである。
【００８８】
例えば装置１７０は、引渡し個人による意図された受取人への在庫から商品の引渡し間、選択の電子的なメニューを表示する能力とディスプレーとを有している。該メニューは以下のメニューアイテムの１以上と付帯するユニットにある実行ソフトウェアとハードウェアとを有することができる。
【００８９】
引渡しオーダー番号および／または識別を選択する手段。完成された引渡しオーダーと未完成の引渡しオーダーと遅延引渡しオーダーと例外の故にペンディングになっている引渡しオーダーと引渡し場所に受取人が不在の故に不可能な引渡しオーダーとを含んだ処理資格を選択された引渡しオーダー番号と結び付ける手段。
【００９０】
メニュー選択の結果メッセージが制御器に送信されて、引渡しの電子的プルーフ（ｅＰｏｄ）が確立される。
【００９１】
インターフェイス構成成分４０、５０を含むサプライチェーン管理システム制御器１０にあるソフトウェアとハードウェアはいかなる数の登録ユーザーからのある範囲の電子メッセージを受信する手段を有している。これらのメッセージに基づいて、制御器１０は１以上の倉庫保管、集荷および包装のために、在庫の流れを多数の場所から単一の中央の場所に指向させる電子指令を発生する。
【００９２】
該メッセージはまた制御器をして倉庫保管されているかまたは集荷されているかまたは包装されている在庫の流れを単一の中央場所から多数の指定された場所に引渡しのために指向させる電子指令を発生する。一般に、いかなる与えられた数のシステムに登録されたユーザーからのメッセージの組織的発行と受領とに基づいて、そのような指令は指示をしてある場所から他の場所への在庫の移動を指向させる。
【００９３】
該指示は集荷／包装要求などのデータを伴ったシステムへ貯蔵されている在庫に関連する全ての情報を含むことができる。またシステムをして、倉庫保管、集荷および／または予め決定された在庫タイプの包装を容易とする場所についての記憶されたパラメータに基づいて、マッチさせかつ指示を発生させる。
【００９４】
制御器１０の有するソフトウェアとハードウェアとは処理手段を有しており、該手段は他の関連するサプライチェーンプロセスを開始させ、通知させ、実行させおよび／または個々の引渡し処理資格および／または確認の放送をペンディングしている登録ユーザーのいかなる番号にも警告させるものである。
【００９５】
制御器１０の有するソフトウェアとハードウェアとはユーザーをしてその金融機関１２０を介して仲介業者により操作されるインターフェイス１１０に在庫の支払い１６０を行わしめる。移動装置１７０が支払い１６０の開始前に必要なユーザー入力を完成した後で、支払い１６０は行われる。
【００９６】
ここに記載された諸機能の実行は無理な実験をすることなしに当業者により容易に実行される。さらに種々の変更を加えることも可能であり、したがってこの発明は記載された実施例に限定されるものではない。
【図面の簡単な説明】
【００９７】
【図１Ａ】融資証券化が在庫商品と製造業者から取得された購入保証に基づいているゼロ在庫方法融資の基本的ステップを示すフローチャートである。
【図１Ｂ】融資証券化が在庫商品と供給業者からの引出し可能な預金の譲渡に基づいているゼロ在庫方法融資の基本的ステップを示すフローチャートである。
【図２Ａ】サプライチェーン仲介業者が１以上の在庫供給業者から在庫の所有権を取得して特定サプライチェーンプロセスに基づいた現金支払いまたは前金を在庫供給業者に提供するゼロ在庫方法融資を実行するシステム中における処理の一部を示す模型図である。
【図２Ｂ】仲介業者から製造業者が在庫の所有権を漸増的量または全量要求しかつ例えばｅＰＯＤ通信ユニット上で製造業者が支払いを行いかつ購入保証を提供するゼロ在庫方法融資を実行するシステム中の処理の一部を示す模型図である。
【図２Ｃ】仲介業者が１以上の在庫供給業者から在庫の所有権および引出し可能な預金の譲渡を取得して特定サプライチェーンプロセスに基づいた現金支払いまたは前金を在庫供給業者に提供するゼロ在庫方法融資を実行するシステム中の処理の一部を示す模型図である。
【図３Ａ】この発明の一実施例において、あるサプライチェーンプロセスおよび／またはイベントがシステムを始動するときに電子的な放送と予決定複数移動装置の警告を支持するゼロ在庫方法融資についてのシステム構成の模型図である。
【図３Ｂ】使用者からの電子的データとオーセンティケーションデータとを移動通信ユニットに送信し、ユーザーオーセンティケーションが成功したら、電子的ータを融資インターフェイスモジュールに通して融資機関との金融プロセスを実行する移動装置を示すゼロ在庫方法融資のためのシステム構成の一部を示す模型図である。
【符号の説明】
【００９８】
１０：サーバー
２０：メモリー
３０、５０：インターフェイスユニット
４０：無線通信ユニット
【図１Ａ】
2005510789.tif 000003
【図１Ｂ】
2005510789.tif 000004
【図２Ａ】
2005510789.tif 000005
【図２Ｂ】
2005510789.tif 000006
【図２Ｃ】
2005510789.tif 000007
【図３Ａ】
2005510789.tif 000008
【図３Ｂ】
2005510789.tif 000009
【国際調査報告】
2005510789.tif 000010
2005510789.tif 000011
2005510789.tif 000012
2005510789.tif 000013
2005510789.tif 000014